(57)【要約】【課題】所望の画像コンテンツをユーザが容易に見つけ得るように、画像コンテンツのリストを制御する表示制御装置、録画装置及びテレビジョン受信機の提供を目的とする。【解決手段】表示制御装置は、記録装置に記録してある画像コンテンツのリストを表示部の一側辺に沿って表示させる。リストから一画像コンテンツの表示アイテムが選択された場合には、選択された一画像コンテンツに関連する画像コンテンツを記録装置から抽出し、抽出した画像コンテンツからなる他のリストを、一側辺とは直交する表示部の他の一側辺に沿って表示させる。【選択図】図５
2013255113.tif 000002
【特許請求の範囲】
【請求項１】
記録装置に記録してある複数の画像コンテンツのリストを矩形の表示装置に表示させる表示制御装置において、
前記リストを前記表示装置の一辺に沿って表示する表示制御部と、
前記リストにある一画像コンテンツを指定した事を示す指定情報を受信する受信部と、
前記複数の画像コンテンツ間の関連性を示す関連情報を記憶する記憶部と、
前記受信部で受信した画像コンテンツに対して前記関連情報で関連付けられた一又は複数の画像コンテンツを、前記記録装置から抽出する抽出部と
を備え、
前記表示制御部は、前記抽出部が抽出した画像コンテンツのリストを他のリストとして前記表示装置の他辺に沿って表示するようにしてある
ことを特徴とする表示制御装置。
【請求項２】
前記リストにある画像コンテンツは、テレビジョン放送を録画した画像コンテンツであり、
前記記憶部は、前記複数の画像コンテンツに関連する複数のウェブページのＵＲＬを記憶しており、
前記表示制御部は、前記抽出部が抽出した画像コンテンツに関連するウェブページのＵＲＬを示すリストを前記他辺に沿って表示するようにしてある
ことを特徴とする請求項１に記載の表示制御装置。
【請求項３】
前記一辺と前記他辺とは垂直である
ことを特徴とする請求項１又は２に記載の表示制御装置。
【請求項４】
請求項１から３までのいずれか一つに記載の表示制御装置と、
前記記録装置と、
テレビジョン放送を受信する放送受信部と
を備え、
前記記録装置は、前記放送受信部が受信したテレビジョン放送を録画し、画像コンテンツとして記録するようにしてあり、
前記表示制御装置は、前記記録装置に録画したテレビジョン放送のリストを前記一辺に沿って表示するリストとして表示するようにしてある
ことを特徴とする録画装置。
【請求項５】
前記表示装置の一辺に沿って表示するリストは、録画したテレビジョン放送の題名を複数含むリストであり、
前記放送受信部は、テレビジョン放送の放送予定情報を受信するようにしてあり、
前記記憶部は、前記複数の画像コンテンツの題名を記憶しており、
前記表示制御部は、前記放送受信部が受信した放送予定情報にあり、前記受信部が受信した指定情報が示す画像コンテンツの題名と同一の題名を有するテレビジョン放送のリストを、前記他辺に沿って表示するようにしてある
ことを特徴とする請求項４に記載の録画装置。
【請求項６】
請求項１から３までのいずれか一つに記載の表示制御装置と、
テレビジョン放送を受信する放送受信部と、
前記表示装置と
を備え、
前記放送受信部にて受信したテレビジョン放送に基づいて、前記表示装置に映像を表示するようにしてある
ことを特徴とするテレビジョン受信機。
【請求項７】
前記一辺に沿って表示したリストは、前記記録装置に記録してある各画像コンテンツを示すようにしてあり、
前記他辺に沿って表示したリストは、前記抽出部が抽出した各画像コンテンツを示すようにしてあり、
前記一辺に沿って表示したリストまたは前記他辺に沿って表示したリストから画像コンテンツの選択を実行する選択部と、
前記一辺に対応する位置にある第１ボタン及び前記他辺に対応する位置にある第２ボタンを有する指示部から指示を受け付ける受付部と
を備え、
前記選択部は、
前記第１ボタンが押し下げられた場合、前記一辺に沿って表示したリストから画像コンテンツの選択を実行し、
前記第２ボタンが押し下げられた場合、前記他辺に沿って表示したリストから画像コンテンツの選択を実行するようにしてある
ことを特徴とする請求項６に記載のテレビジョン受信機。
【請求項８】
請求項４または５に記載の録画装置と、
前記表示装置と
を備え、
前記放送受信部にて受信したテレビジョン放送に基づいて、前記表示装置に映像を表示するようにしてある  
ことを特徴とするテレビジョン受信機。
【発明の詳細な説明】
【技術分野】
【０００１】
本発明は、画像コンテンツの表示を制御する表示制御装置、録画装置及びテレビジョン受信機に関する。
【背景技術】
【０００２】
テレビジョン放送（テレビ番組）を録画して、必要なときに再生できる録画再生装置が製造されている。またそのような録画再生装置を内蔵したテレビジョン受信機も製造されている。
【０００３】
これらの装置では、録画したテレビ番組の中から所望のテレビ番組をユーザが選択することにより、選択されたテレビ番組の録画内容が表示装置に映し出される（特許文献１、特許文献２）。
【０００４】
近年の技術的進歩に伴い、テレビ番組を録画できる容量が増加し、ユーザの利便性が向上している。
【先行技術文献】
【特許文献】
【０００５】
【特許文献１】特開２００８−２９４５２６号公報
【特許文献２】特開平６−２３６５９２号公報
【発明の概要】
【発明が解決しようとする課題】
【０００６】
放送中のテレビ番組を視聴中に、録画したテレビ番組の視聴をユーザが希望する場合も考えられる。そのような場合への対応策として、放送中のテレビ番組視聴を妨げることなく、録画したテレビ番組の中から所望のテレビ番組を画像コンテンツとして選択できるようにするため、放送中のテレビ番組は表示した状態で、録画したテレビ番組のリストを表示装置の一辺に沿って表示する構成が考えられる。表示されたリストに所望のテレビ番組がない場合には、ユーザのスクロール操作によりリストを更新させて、所望のテレビ番組がリストに現れるようにする。
【０００７】
しかしながら、放送中のテレビ番組を表示した状態としながらもリストとして表示装置の一辺に表示できる番組の数には限度があり、所望のテレビ番組を見つけるまでに長時間を費やすという問題が考えられる。また、録画再生装置が有する記録容量の増加に伴い、所望のテレビ番組を見つけるまでに更に長時間を費やすという問題が考えられる。
所望のテレビ番組に関する文字を入力して検索することにより録画したテレビ番組の中から所望のテレビ番組を見つけるという装置も考えられるが、その様な装置では、検索に必要な文字の入力に手間がかかるという問題が考えられる。
【０００８】
本発明は斯かる事情に鑑みてなされたものであって、視聴中のテレビ番組は表示した状態としながらも、所望のテレビ番組をユーザが容易に見つけ得るように画像コンテンツの表示を制御する表示制御装置、表示制御装置を含む録画装置、及び、表示制御装置又は録画装置を含むテレビジョン受信機の提供を目的とする。
【課題を解決するための手段】
【０００９】
本発明に係る表示制御装置は、記録装置に記録してある複数の画像コンテンツのリストを矩形の表示装置に表示させる表示制御装置において、前記リストを前記表示装置の一辺に沿って表示する表示制御部と、前記リストにある一画像コンテンツを指定した事を示す指定情報を受信する受信部と、前記複数の画像コンテンツ間の関連性を示す関連情報を記憶する記憶部と、前記受信部で受信した画像コンテンツに対して前記関連情報で関連付けられた一又は複数の画像コンテンツを、前記記録装置から抽出する抽出部とを備え、前記表示制御部は、前記抽出部が抽出した画像コンテンツのリストを他のリストとして前記表示装置の他辺に沿って表示するようにしてあることを特徴とする。
【００１０】
上述の表示制御装置では、例えば、記録装置に記録してある画像コンテンツのリストが表示装置の左端または右端の縦一列に表示される。また、表示されたリストから指定した一画像コンテンツに関連する画像コンテンツが記録装置から抽出され、抽出された画像コンテンツのリストが表示装置の上端または下端の横一列に他のリストとして表示される。
【００１１】
また本発明に係る表示制御装置は、前記リストにある画像コンテンツが、テレビジョン放送を録画した画像コンテンツであり、前記記憶部は、前記複数の画像コンテンツに関連する複数のウェブページのＵＲＬを記憶しており、前記表示制御部は、前記抽出部が抽出した画像コンテンツに関連するウェブページのＵＲＬを示すリストを前記他辺に沿って表示するようにしてあることを特徴とする。
【００１２】
上述の表示制御装置では、例えば、記録装置に記録してあるテレビジョン放送のリストが表示装置の左端または右端の縦一列に表示される。また、表示されたリストから指定した一テレビジョン放送に関連するテレビジョン放送が記録装置から抽出され、その抽出されたテレビジョン放送を紹介するウェブページのＵＲＬを示すリストが表示装置の上端または下端の横一列に表示される。
【００１３】
また本発明に係る表示制御装置は、前記一辺と前記他辺とは垂直であることを特徴とする。
【００１４】
上述の表示制御装置では、一辺に沿って表示されるリストと他辺に沿って表示されるリストとが垂直に配置される。
【００１５】
本発明に係る録画装置は、上述の表示制御装置と、前記記録装置と、テレビジョン放送を受信する放送受信部とを備え、前記記録装置は、前記放送受信部が受信したテレビジョン放送を録画し、画像コンテンツとして記録するようにしてあり、前記表示制御装置は、前記記録装置に録画したテレビジョン放送のリストを前記一辺に沿って表示するリストとして表示するようにしてあることを特徴とする。
【００１６】
上述の録画装置では、上述した表示制御装置によるリストの表示制御機能が実現される。
【００１７】
また本発明に係る録画装置は、前記表示装置の一辺に沿って表示するリストが、録画したテレビジョン放送の題名を複数含むリストであり、前記放送受信部は、テレビジョン放送の放送予定情報を受信するようにしてあり、前記記憶部は、前記複数の画像コンテンツの題名を記憶しており、前記表示制御部は、前記放送受信部が受信した放送予定情報にあり、前記受信部が受信した指定情報が示す画像コンテンツの題名と同一の題名を有するテレビジョン放送のリストを、前記他辺に沿って表示するようにしてあることを特徴とする。
【００１８】
上述の録画装置では、例えば、記録装置に記録してあるテレビジョン放送のリストが表示装置の左端または右端の縦一列に表示される。また、表示されたリストから指定した一テレビジョン放送の次回以降の放送の録画予約リストが表示装置の上端または下端の横一列に他のリストとして表示される。
【００１９】
本発明に係るテレビジョン受信機は、上述の表示制御装置と、テレビジョン放送を受信する放送受信部と、前記表示装置とを備え、前記放送受信部にて受信したテレビジョン放送に基づいて、前記表示装置に映像を表示するようにしてあることを特徴とする。
【００２０】
上述のテレビジョン受信機では、上述した表示制御装置によるリストの表示制御機能が実現される。
【００２１】
また本発明に係るテレビジョン受信機は、前記一辺に沿って表示したリストが、前記記録装置に記録してある各画像コンテンツを示すようにしてあり、前記他辺に沿って表示したリストは、前記抽出部が抽出した各画像コンテンツを示すようにしてあり、前記一辺に沿って表示したリストまたは前記他辺に沿って表示したリストから画像コンテンツの選択を実行する選択部と、前記一辺に対応する位置にある第１ボタン及び前記他辺に対応する位置にある第２ボタンを有する指示部から指示を受け付ける受付部とを備え、前記選択部は、前記第１ボタンが押し下げられた場合、前記一辺に沿って表示したリストから画像コンテンツの選択を実行し、前記第２ボタンが押し下げられた場合、前記他辺に沿って表示したリストから画像コンテンツの選択を実行するようにしてあることを特徴とする。
【００２２】
上述のテレビジョン受信機では、指示部の第１ボタンを操作することにより、一列に表示されたリストから一画像コンテンツの表示アイテムを選択する。また、指示部の第２ボタンを操作することにより、他方向の一列に表示されたリストから一画像コンテンツの表示アイテムを選択する。選択した画像コンテンツが表示装置に表示される。
【００２３】
本発明に係るテレビジョン受信機は、上述の録画装置と、前記表示装置とを備え、前記放送受信部にて受信したテレビジョン放送に基づいて、前記表示装置に映像を表示するようにしてあることを特徴とする。
【００２４】
上述のテレビジョン受信機では、上述した表示制御装置によるリストの表示制御機能とテレビジョン放送の録画機能とが実現される。
【発明の効果】
【００２５】
本発明にあっては、視聴中のテレビ番組は表示装置に表示した状態としながらも、表示装置の一辺に沿って画像コンテンツのリストを表示し、他のリストを他の一辺に沿って表示し得る。したがって、記録した画像コンテンツに関する情報を示すにあたり、放送中のテレビ番組視聴の妨害を抑制しながら、表示装置の面積を効果的に利用し得る。
また本発明にあっては、表示されたリストから指定した画像コンテンツと関連付けられた他の画像コンテンツが記録装置から抽出され、抽出された画像コンテンツについてのリストが他の一辺に表示される。例えば、録画したテレビジョン放送のリストが画像コンテンツとして記憶してあり、録画したテレビジョン放送の題名に基づいて関連付けてある場合、一辺に沿って表示したリストから選択したテレビジョン放送と同一題名であり、放送回が異なる録画したテレビジョン放送が記録装置から抽出されて他のリストとして表示される。また、録画したテレビジョン放送のジャンルに基づいて関連付けてある場合には、一辺に沿って表示したリストから選択したテレビジョン放送と同一ジャンルである録画した他のテレビジョン放送が記録装置から抽出されて他のリストとして表示される。また、録画したテレビジョン放送の出演者に基づいて関連付けてある場合には、一辺に沿って表示したリストから選択したテレビジョン放送と同一の出演者が出演している録画した他のテレビジョン放送が、記録装置から抽出されて他のリストとして表示される。したがって、所望の画像コンテンツの選択におけるユーザの操作性の簡便化および向上が期待できる。
【図面の簡単な説明】
【００２６】
【図１】テレビジョン受信機及びその装置の操作部の外観を示した模式図である。
【図２】テレビジョン受信機の一構成例を示したブロック図である。
【図３】関連テーブルのレコードレイアウトを示す説明図である。
【図４】表示部の左側辺に沿ってリストが表示された表示部の例を示す模式図である。
【図５】表示部の下側辺に沿って他のリストが表示された表示部の例を示す模式図である。
【図６】関連するテレビジョン放送の番組のリストを表示する制御部の処理手順を示すフローチャートである。
【図７】リストから選択した録画番組に関連する番組の録画予約リストを表示する実施の形態２におけるテレビジョン受信機の一構成例を示したブロック図である。
【図８】関連テーブルのレコードレイアウトを示す説明図である。
【図９】関連する録画予約番組のリストを表示する制御部の処理手順を示すフローチャートである。
【発明を実施するための形態】
【００２７】
（実施の形態１）
以下、本発明をその実施の形態を示す図面に基づいて具体的に説明する。表示制御装置としての機能及び録画装置としての機能を有するテレビジョン受信機について例示する。
【００２８】
図１は、テレビジョン受信機１及びその装置の操作部１８の外観を示した模式図である。操作部１８は、ユーザがテレビジョン受信機１を操作するために用いるものであり、表示部１５上にある表示アイコンの上下方向選択に用いる上下ボタン１８ａと左右方向選択に用いる左右ボタン１８ｂ、上下ボタン１８ａ及び左右ボタン１８ｂで選択した表示アイテムを決定する決定ボタン１８ｃとを有する。操作部１８により、ユーザの操作を受け付ける。本実施の形態では、操作部１８がテレビジョン受信機１に対して遠隔操作可能な別体となっているが、テレビジョン受信機１と一体となる構成でもよい。
【００２９】
図２は、テレビジョン受信機１の一構成例を示したブロック図である。テレビジョン受信機１は制御部１０、映像／音声入力部１１、チューナ部１２、ＡＶスイッチ１３、信号処理部１４、表示部１５、スピーカ１６、記録部１７、及び受付部１８Ａを備える。
【００３０】
制御部１０は、中央処理装置（ Central Processing Unit：ＣＰＵ）、記憶媒体（ Read Only Memory：ＲＯＭ）、メモリ（ Random Access Memory：ＲＡＭ）などを備えたマイクロコンピュータからなり、テレビジョン受信機１の各構成部に制御信号を与えて各構成部の動作を制御する。
【００３１】
映像／音声入力部１１は、各種外部装置から出力された映像信号及び音声信号が入力される入力インタフェースであり、入力された映像信号及び音声信号をＡＶスイッチ１３へ与える。外部装置は、例えば、衛星放送チューナ、ケーブルテレビチューナ、ＩＰ放送チューナなどのチューナで構成される。
【００３２】
チューナ部１２は、アンテナＡで受信した放送信号を増幅して特定チャンネルの信号を選択し、データをＡＶスイッチ１３に与える。
【００３３】
ＡＶスイッチ１３は、映像／音声入力部１１から与えられた映像信号及び音声信号、又はチューナ部１２から与えられたデータのいずれかを選択し、選択された映像信号及び音声信号又はデータを信号処理部１４へ出力する。
【００３４】
信号処理部１４は、ＡＶスイッチ１３から出力された映像信号又はデータに基づいて映像を生成し、生成した映像を表示部１５に表示させる。また信号処理部１４は、記録部１７に記録（録画）したテレビジョン放送（番組）の映像を生成し、生成した映像を表示部１５に表示させる。音声は、ＡＶスイッチ１３から出力された音声信号又はデータをスピーカ１６に与えることによって、外部出力される。更に信号処理部１４は、制御部１０が行う後述の制御に従って、記録部１７に記録したテレビジョン放送（録画番組）に関連する情報を表示部１５に表示させる。
【００３５】
表示部１５は、液晶パネルで構成してあり、信号処理部１４から与えられた映像信号に基づいて、映像を表示する。プラズマディスプレイパネル、有機ＥＬパネルなどを用いて構成してもよい。
【００３６】
スピーカ１６は、電気信号を物理振動に変えて音を生み出すものであり、信号処理部１４から与えられた音声信号に基づいて、音声を出力する。
【００３７】
記録部１７は、ハードディスクドライブ（ＨＤＤ）で構成してあり、録画番組である画像コンテンツを記録する。記録部１７は、テレビジョン受信機１に内蔵してある。しかしながら記録部１７は、ＵＳＢ等を用いて外部接続されるものであってもよい。コンパクトディスク（ＣＤ）、ディーブイディーディスク（ＤＶＤ）、ブルーレイディスク（ＢＤ）等を用いて構成してあるものであってもよい。
【００３８】
また記録部１７は、録画番組のメタデータを記憶する記憶領域を有しており、録画番組の識別情報とその番組録画の題名、放送回、ジャンル、出演者、及び録画日時の情報との関連を示す関連テーブル１７ａを記憶する。メタデータとは、データについてのデータ属性を意味しており、より具体的には、あるデータが付随して持つそのデータ自身についての抽象度の高い付加的なデータを意味する。録画番組の題名、放送回、ジャンル、出演者、録画日時、ウェブサイトのＵＲＬの情報は、メタデータの一例である。
【００３９】
受付部１８Ａは、操作部１８から送信される指示情報を受け付けるものであり、ユーザの操作により送信される指示情報を制御部１０に与える。
【００４０】
図３は、関連テーブル１７ａのレコードレイアウトを示す説明図である。録画番組の識別情報とその識別情報が示す番組のメタデータとの関係を示す関連テーブル１７ａを模式的に示してある。関連テーブル１７ａは、メタデータの具体例として、題名フィールド、放送回フィールド、ジャンルフィールド、出演者フィールド、録画日時フィールド、及びＵＲＬフィールドで構成してある。
題名フィールドには、その録画番組の題名を示す情報が記録してある。放送回フィールドには、その録画番組が第何回目の放送であったかを示す情報が記録してある。ジャンルフィールドには、その録画番組のジャンル（スポーツ、ドラマ、バラエティー、映画など）を示す情報が記録してある。出演者フィールドには、その録画番組に出演している出演者を示す情報が記録してある。録画日時フィールドには、その録画番組を録画した日時を示す情報が記録してある。ＵＲＬフィールドには、その録画番組を紹介するウェブページのＵＲＬの情報が記録してある。
制御部１０は、関連テーブル１７ａを参照し、指定された録画番組の識別情報からその録画番組の題名、放送回、ジャンル、出演者、録画日時、及びＵＲＬを検知する。
【００４１】
上で述べたテレビジョン受信機１の構成のうち、制御部１０、信号処理部１４及び関連テーブル１７ａ等を備える構成ユニットが表示制御装置としての機能に寄与する。また、制御部１０、信号処理部１４及び記録部１７等を備える構成ユニットが録画装置としての機能に寄与する。
【００４２】
図４は、表示部１５の左側辺に沿ってリスト１９が表示された表示部の例を示す模式図である。リスト１９には、記録部１７の記憶領域に記憶された録画番組の題名とその放送回とからなる表示アイテムが複数示してある。
【００４３】
記録部１７に記録してある録画番組の数と表示部１５の大きさとを考慮し、制御部１０はリスト１９に表示する録画番組を記録部１７から抽出する。抽出した録画番組のリスト１９を表示すべく、制御部１０は信号処理部１４を制御する。制御された信号処理部１４は、リスト１９を表示部１５の左側辺に沿って表示させる信号を作成して表示部１５に出力する。出力された信号を受け取った表示部１５は、リスト１９を表示部１５の左側辺に沿って表示する。
【００４４】
ユーザは、操作部１８の上下ボタン１８ａを操作することにより、表示されたリスト１９から一つの録画番組を示す表示アイコンを選択することができる。具体的には、リスト１９にある表示アイコンの一つにカーソルが付してある状態で、上下ボタン１８ａを用いてそのカーソルを上下に移動させることにより、リスト１９の中から一表示アイコンを選択することができる。上下ボタン１８ａの上方向部位が操作された場合には、そのカーソルがリスト１９内の上方の表示アイコンへと移動する。上下ボタン１８ａの下方向部位が操作された場合には、そのカーソルがリスト１９内の下方の表示アイコンへと移動する。
【００４５】
リスト１９に所望の録画番組、つまり所望の題名および放送回を示す表示アイコンが存在する場合、ユーザはその表示アイコンにカーソルを合わせて決定ボタン１８ｃを押下することにより、所望の録画番組を視聴することができる。リスト１９に所望の録画番組を示す表示アイコンが存在しない場合、ユーザは、操作部１８の上下ボタン１８ａを操作することにより、記録部１７に記録してある他の録画番組を抽出して作成したリスト１９を表示部１５の左側辺に沿って表示させることができる。
【００４６】
放送回は異なるが所望の題名を示す表示アイコンがリスト１９に存在した場合、ユーザは、その所望の題名を有する録画番組のうち、表示アイコンが示す放送回とは異なる放送回の録画番組を記録部１７から抽出して構成した他のリストを、表示部１５の下側辺に沿って表示させることができる。また、リスト１９にある一表示アイコンが示す録画番組と同一ジャンルまたは同一出演者の録画番組を記録部１７から抽出して構成した他のリスト２０を、表示部１５の下側辺に沿って表示させることができる。
【００４７】
図５は、表示部１５の下側辺に沿って他のリスト２０が表示された表示部の例を示す模式図である。同一題名だが放送回の異なる複数の録画番組のリスト２０を表示する場合について示してある。リスト１９にある一表示アイコンにカーソルを合わせた後に操作部１８の左右ボタン１８ｂが操作された場合、制御部１０は、関連テーブル１７ａの題名フィールドを参照し、一表示アイコンが示す録画番組と同一題名だが放送回の異なる録画番組を記録部１７から抽出してリスト２０に表示すべく、信号処理部１４を制御する。制御された信号処理部１４は、リスト２０を表示部１５の下側辺に沿って表示させる信号を作成して表示部１５に出力する。出力された信号を受け取った表示部１５は、リスト２０を表示部１５の下側辺に沿って表示する。抽出された録画番組を示す複数の表示アイコンは、関連テーブル１７ａの放送回フィールドを参照し、放送回に基づく順番でリスト２０内に配列される。
放送回に基づく順番で複数の表示アイコンが配列されるため、ユーザは所望の放送回を示す表示アイコンを見つけやすくなる。
【００４８】
図５では、リスト２０を表示する際にリスト１９を削除する構成を示してあるが、リスト２０を表示する際にリスト１９も表示した状態とする構成としてもよい。
【００４９】
また図５では、検知した録画番組の題名に基づいて録画番組を抽出する構成を示してあるが、検知した録画番組のジャンル及び／又は出演者に基づいて録画番組を抽出する構成としてもよい。この場合、関連テーブル１７ａにある録画日時フィールドを参照し、抽出した録画番組を示す複数の表示アイコンが録画日時に基づく順番でリスト２０内に配列される。また、関連テーブル１７ａにあるＵＲＬフィールドを参照し、抽出した録画番組のＵＲＬをリスト２０にある複数の表示アイコンが示す構成としてもよい。
録画日時に基づく順番で複数の表示アイコンが配列されるため、ユーザは所望の録画番組に関する表示アイコンを見つけやすくなる。
【００５０】
図６は、関連するテレビジョン放送の番組のリスト２０を表示する制御部１０の処理手順を示すフローチャートである。リスト１９の一表示アイコンにカーソルが合わせてある状態で操作部１８の左右ボタン１８ｂが操作された場合、制御部１０は、関連テーブル１７ａの題名フィールドを参照し、カーソルが合わせてある表示アイコンが示す録画番組の題名を検知し（ステップＳ１１）、検知した題名と同一の題名を有する録画番組を抽出する（ステップＳ１２）。また制御部１０は、関連テーブル１７ａの放送回フィールドを参照し、抽出した複数の録画番組を放送回の順番に基づいて並べる（ステップＳ１３）。制御部１０は信号処理部１４を制御し、並べられた録画番組の表示アイコンからなるリスト２０を表示部１５の下側辺に沿って表示させる（ステップＳ１４）。
【００５１】
上述の処理手順では、指定された録画番組の題名と同一の題名を有する録画番組を記録部１７から抽出する構成を示してあるが、カーソルが合わせてある表示アイコンが示す録画番組のジャンルと同一のジャンルを有する録画番組を、関連テーブル１７ａのジャンルフィールドを参照して抽出する構成としてもよい。カーソルが合わせてある表示アイコンが示す録画番組の出演者と同一の出演者が出演している録画番組を、関連テーブル１７ａの出演者フィールドを参照して抽出する構成としてもよい。また、それらを適宜に組み合わせる構成としてもよい。
【００５２】
ユーザは、操作部１８の左右ボタン１８ｂを操作することにより、表示されたリスト２０から一つの録画番組を示す表示アイコンを選択することができる。具体的には、リスト２０の一つの表示アイコンにカーソルが付してあり、左右ボタン１８ｂを用いてそのカーソルを移動させることにより、リスト２０の中から所望の題名および放送回を示す表示アイコンを選択することができる。左右ボタン１８ｂの左方向部が操作された場合には、そのカーソルが、表示部１５のリスト２０内の右方に位置する表示アイコンへと移動する。左右ボタン１８ｂの右方向部が操作された場合には、そのカーソルが、表示部１５のリスト２０内の左方に位置する表示アイコンへと移動する。ユーザと表示部１５とは対向関係にあるため、左右が逆となるからである。リスト２０から表示アイコンが選択された状態で決定ボタン１８ｃを押下することにより、所望の録画番組を視聴することができる。リスト２０が表示されているときに操作部１８の上下ボタン１８ａが操作された場合、リスト２０の表示が削除されて、再びリスト１９が表示部１５の左側辺に沿って表示される。
【００５３】
リストとして表示部に表示できる番組の数に限度があるが、リスト１９、２０を縦横に表示することにより、表示部１５の面積を効果的に利用することができる。また、リスト１９から選択された録画番組に関連する録画番組が抽出されてリスト２０に表示されるため、所望の録画番組を見つけるためにする文字入力を省くことができ、ユーザの操作性が向上する。また、リスト１９、２０が表示部１５の側辺に沿って表示されることにより、ユーザが視聴している映像を表示するスペースを、ユーザが記録部１７から録画番組を選択している間も継続して表示部１５上に確保することが可能となる。
【００５４】
関連する録画番組のリスト表示にあたり、記録部１７から抽出した録画番組を紹介するウェブページのＵＲＬから構成される表示アイコンのリストを、関連テーブル１７ａのＵＲＬフィールドを参照し、表示部１５の下側辺に沿って表示させる構成とすることもできる。ＵＲＬのリストは他のリスト２０と別に表示されてもよいし、他のリスト２０として表示されてもよい。この構成の場合、テレビジョン受信機１をインターネット接続可能とすることにより、表示アイコンにより特定されるＵＲＬのウェブページを表示部１５に表示し得る。
【００５５】
上述したように、操作部１８の上下ボタン１８ａの操作により、縦一列のリスト１９にある表示アイコンの一つをユーザは選択することができる。また、操作部１８の左右ボタン１８ｂの操作により、横一列のリスト２０にある表示アイコンの一つを選択することができる。各ボタンの配置方向とリストにおける番組の選択方向とが視覚的、感覚的に一致することにより、操作性の改善効果が期待できる。
【００５６】
上下ボタン１８ａの操作によりリスト１９から一つの表示アイコンが選択されて左右ボタン１８ｂの右方向部が操作された場合、リスト１９を表示部１５の右側辺に揃えて表示し、そのリスト１９の左側に伸びるようにリスト２０を表示してもよい。また、上下ボタン１８ａの操作によりリスト１９から一つの表示アイコンが選択されて左右ボタン１８ｂの左方向部が操作された場合、リスト１９を表示部１５の左側辺に揃えて表示し、そのリスト１９の右側に伸びるようにリスト２０を表示してもよい。このような構成により、各ボタンの配置方向とリストにおける番組の選択方向とが視覚的、感覚的にさらに一致して、操作性の更なる改善効果が期待できる。
【００５７】
リスト２０は、ユーザがリスト１９から選択した録画番組に関連する録画番組で構成されるため、所望の録画番組を見つけるまでに費やす時間を減少させる効果が期待できる。また、文字を入力して検索する必要がないため、操作性の改善効果が期待できる。したがって、所望の録画番組をユーザが容易に見つけ得る効果が期待できる。
【００５８】
本実施の形態では、リスト１９を表示部１５の左側辺に沿って表示したが、右側辺に沿って表示してもよい。リスト２０を表示部１５の下側辺に沿って表示したが、上側辺に沿って表示してもよい。また、リスト１９を横一列表示としてリスト２０を縦一列表示としてもよい。
【００５９】
（実施の形態２）
実施の形態１では、リスト１９から選択した録画番組に関連する録画番組のリスト２０を表示する構成について説明した。しかしながら、選択した録画番組に関連する番組の録画予約をするために、録画予約に関するリストをリスト２０として表示する構成としてもよい。
【００６０】
図７は、リスト２０として、リスト１９から選択した録画番組に関連する番組の録画予約リストを表示する実施の形態２におけるテレビジョン受信機１の一構成例を示したブロック図である。テレビジョン受信機１は制御部１０、映像／音声入力部１１、チューナ部１２、ＡＶスイッチ１３、信号処理部１４、表示部１５、スピーカ１６、記録部１７、及び受付部１８Ａの他に、チューナ部１２が受信した放送信号から電子番組表といった今後放送される番組の録画予約情報を抽出する予約情報抽出部２１を備える。
【００６１】
記録部１７は、関連テーブル１７ａと関連テーブル１７ｂとを記憶する記憶領域を有する。関連テーブル１７ｂは、予約情報抽出部２１が抽出した録画予約情報が示すテレビジョン放送の番組の識別情報とそのメタデータとの関係を示すテーブルである。具体的には、題名フィールド、放送回フィールド、ジャンルフィールド、出演者フィールド及び放送予定日時フィールドで構成してある。
【００６２】
図８は、関連テーブル１７ｂのレコードレイアウトを示す説明図である。題名フィールドには、録画予約番組の題名を示す情報が記録してある。放送回フィールドには、録画予約番組が第何回目の放送かを示す情報が記録してある。ジャンルフィールドには、録画予約番組のジャンルを示す情報が記録してある。出演者フィールドには、録画予約番組の出演者を示す情報が記録してある。放送予定日時フィールドには、その番組の放送予定日時を示す情報が記録してある。
【００６３】
制御部１０は、関連テーブル１７ａを参照し、選択した録画番組の識別情報からその番組の題名、ジャンル及び出演者を検知する。また制御部１０は、関連テーブル１７ｂを参照し、選択した録画番組と同一の題名、ジャンル、及び／又は出演者を有する放送予定番組を検知する。
【００６４】
図９は、関連する録画予約番組のリスト２０を表示する制御部１０の処理手順を示すフローチャートである。リスト１９から一表示アイコンにカーソルが合わせてある状態で操作部１８の左右ボタン１８ｂが操作された場合、制御部１０は関連テーブル１７ａの題名フィールドを参照し、カーソルが合わせてある表示アイコンが示す録画番組の題名を検知し（ステップＳ２１）、検知した題名と同一の題名を有する録画予約番組を関連テーブル１７ｂの題名フィールドに基づいて抽出する（ステップＳ２２）。制御部１０は、関連テーブル１７ｂの放送回フィールドを参照し、抽出した録画予約番組を放送回の順番に基づいて並べる（ステップＳ２３）。制御部１０は信号処理部１４を制御し、並べられた録画予定番組の表示アイコンからなるリスト２０を表示部１５の下側辺に沿って表示させる（ステップＳ２４）。
【００６５】
上述の処理手順では、指定された録画番組の題名と同一の題名を有する録画予定番組のリスト２０を表示する構成を示してあるが、カーソルが合わせてある表示アイコンが示す録画番組のジャンルと同一のジャンルを有する録画予約番組のリスト２０を、関連テーブル１７ｂのジャンルフィールドを参照して表示する構成としてもよい。録画番組の出演者と同一の出演者が出演する録画予約番組のリスト２０を、関連テーブル１７ｂの出演者フィールドを参照して表示する構成としてもよい。また、それらを適宜に組み合わせる構成としてもよい。これらの構成の場合には、関連テーブル１７ｂの放送予定日時フィールドを参照し、抽出した録画予約番組を放送予定日時の順番に基づいて並べることにより、予約したい番組をリストから見つけやすくなる。
【００６６】
録画予約番組に関するリスト２０を表示する構成では、録画した所望の番組を容易に見られるだけでなく、その所望の番組に関連する番組の録画予約をも容易に行い得るという効果が期待できる。また、文字を入力して検索する必要がないため、録画予約に対する操作性の改善効果が期待できる。
【００６７】
今回開示された実施の形態はすべての点で例示であって、制限的なものでは無いと考えられるべきである。上で例示した複数の構成は、他の構成例と組み合わせて利用することも可能である。本発明の範囲は、上で例示した内容だけ無く、特許請求の範囲によって示され、特許請求の範囲と均等の意味及び範囲内でのすべての変更が含まれることが意図される。
【符号の説明】
【００６８】
１   テレビジョン受信機
１０  制御部
１１ 映像／音声入力部
１２ チューナ部
１３ ＡＶスイッチ
１４ 信号処理部
１５ 表示部
１６ スピーカ
１７  記録部
１７ａ  関連テーブル
１７ｂ  関連テーブル
１８Ａ  受付部
１８  操作部
１８ａ  上下ボタン
１８ｂ  左右ボタン
１９  リスト
２０  リスト
２１  予約情報抽出部
【図１】
2013255113.tif 000003
【図２】
2013255113.tif 000004
【図３】
2013255113.tif 000005
【図４】
2013255113.tif 000006
【図５】
2013255113.tif 000007
【図６】
2013255113.tif 000008
【図７】
2013255113.tif 000009
【図８】
2013255113.tif 000010
【図９】
2013255113.tif 000011